(57)【要約】【課題】  ２つの異なる部材が、所定距離以上に離隔することを防ぐことができる器具を容易に取付けることができる部材連結構造を提供する。【解決手段】  屈曲自在な紐部４と、紐部４の一端部に設けられ紐部４の断面の最大寸法よりも大なる膨出部６とを有する連結部材により、第１の部材と第２の部材とを、所定の距離以上の離隔を禁止すると共に所定の距離未満の接近を許容して連結する部材連結構造であって、第２の部材は、膨出部６が通過可能な形状に穿設された挿入孔１２と、膨出部６の通過を禁止し紐部４の通過を許容する幅で形成されたスリット１３とを有する係止部を備え、連結部材の他端側を第１の部材に固定すると共に、膨出部６を挿入孔１２に挿入し、紐部４をスリット３を通過する位置に配置して、第１及び第２の部材を互いに離隔する方向に移動させた際に、挿入孔１２がスリット１３に対して第１の部材とは反対側に位置するよう形成されている【選択図】      図２
2009127795.tif 000002
【特許請求の範囲】
【請求項１】
第１の部材と、被取付部材の一面に取付けられる第２の部材とを、連結部材により、所定の距離以上の離隔を禁止すると共に該所定の距離未満の接近を許容して連結する部材連結構造であって、
前記連結部材は、屈曲自在な紐状に形成された紐部と、前記紐部の一端部に設けられ前記紐部の断面における最大寸法よりも大なる断面寸法を有して膨出する膨出部と、を有し、
前記第２の部材は、
前記一面に当接する当接面を有して前記被取付部材に固定される取付部と、
前記膨出部が通過可能な形状に穿設された挿入孔と、前記挿入孔に一端側が開口すると共に前記膨出部の通過を禁止し前記紐部の通過を許容する幅で形成された他端側が閉口したスリットと、を有する係止部と、を備え、
前記連結部材の他端側を前記第１の部材に固定すると共に、前記膨出部を前記挿入孔に挿入し、前記紐部を前記スリットを通過する位置に配置し、且つ、前記第１の部材を、前記当接面に対して直交する方向に移動させて前記紐部を一直線状に張架させた際に、
前記係止部は、前記スリットが前記当接面に対して交わる面内で延在すると共に前記挿入孔が前記スリットに対して前記第１の部材の反対側に位置するよう備えられていることを特徴とする部材連結構造。
【請求項２】
前記スリットは、前記挿入孔に開口した開口端部から他端側である奥端部までを非一直線状に形成されていることを特徴とする請求項１記載の部材連結構造。
【請求項３】
前記紐部を前記スリット内の前記挿入孔側から前記奥端部まで移動させた際の軌跡を紐部移動経路とした際に、
該紐部移動経路は、移動方向が不連続に変化する屈曲点を有することを特徴とする請求項２記載の部材連結構造。
【請求項４】
前記紐部移動経路は、前記張架させた紐部の張架方向で分割される一方側から他方側へ跨ぐように移動する第１の移動経路と、前記他方側から前記一方側へ跨ぐように移動する第２の移動経路と、を有していることを特徴とする請求項３記載の部材連結構造。
【請求項５】
前記スリットは、その前記屈曲点に対応する位置において、前記紐部移動経路に含まれない他のスリットが開口されていることを特徴とする請求項３又は請求項４記載の部材連結構造。
【請求項６】
前記スリットは、その奥端部側に幅が拡張した紐収容部を有し、該紐収容部の形状は前記スリットの幅よりも広い幅で、且つ、前記膨出部が通過不可能な大きさに形成されていることを特徴とする請求項１乃至５のいずれか１項に記載の部材連結構造。
【請求項７】
前記スリットは、該スリットの幅よりも徐々に幅が狭くなる幅狭部を、前記挿入孔から遠い部位に有していることを特徴とする請求項１乃至６のいずれか１項に記載の部材連結構造。
【請求項８】
請求項１乃至７のいずれか１項に記載の部材連結構造を有する天井取付器具であって、
前記第１の部材と前記第２の部材とを連結する、前記連結部材とは別の連結手段と、前記第２の部材に設けられた天井取付手段と、を備え、
前記係止部は、前記第２の部材を、前記天井取付手段を用いて天井に取付けた際に、前記挿入孔が前記スリットよりも前記天井に近い位置にあるよう前記第２の部材に備えられていることを特徴とする天井取付器具。
【請求項９】
前記第１の部材はカメラ装置を備えていることを特徴とする請求項８記載の天井取付器具。
【発明の詳細な説明】
【技術分野】
【０００１】
本発明は、分離可能な２つの構成部材を互いに離隔する方向に移動させた場合に、ある一定距離以上離隔することがない部材連結構造、及び、その部材連結構造を有し、天井に取付けた後に意図せず一方が分離して落下することを防止する天井取付器具に関する。
【背景技術】
【０００２】
監視カメラや業務用スピーカーなどは、天井等の広く室内全体を見渡せる高所に設置されることが多い。
高所に取付けられる機器は、予め天井に固定された取付金具により天井に固定されると共に、その機器と取付金具との固定が何らかの要因で外れた場合でも、機器の落下を防止するため、ワイヤなどで機器と取付金具とを繋ぐ部材連結構造を併用することが広く行われている。
このような部材連結構造を利用した機器の一例として、通常、機器側にステンレス製のワイヤの片側端を固定しておき、機器を高所に取付ける際に取付金具に反対側端を固定するようにした天井取付器具が特許文献１に記載されている。
【０００３】
特許文献1には、おおむね以下のように記載されている。
一端部に螺子の頭部が固定され、他端部に着脱可能なフックが固定されたワイヤを準備し、螺子の頭部を機器本体上面の孔に通した後、その螺子にナットを螺着して機器本体とワイヤとを固定する。
次に、ワイヤの他端部を天井支持材等に巻き付け、フックにて係留する。
これにより、地震等の発生により機器本体の取付け部が破損し、機器本体が外れた場合でも、ワイヤにより機器本体が吊下げられるため、機器本体の床上への落下を防止でき、その破損を防ぐことができる。
【０００４】
【特許文献１】特開２００３−３０８７１９号公報
【発明の開示】
【発明が解決しようとする課題】
【０００５】
しかしながら、この機器を高所に取付ける際にワイヤを天井支持材に巻き付けて、そのワイヤの一端に固定されたフックにてワイヤを係留する作業は、一方の手で天井支持部材又はワイヤを所定位置に支えながら、他方の手でフックを開いて係留しなけなければならず、両手を上方に上げて作業を行う必要があった。そのため、機器本体の取付けの作業性が悪く、作業者への負担が大きいという問題があり、高所での作業時に不安定になり作業者が落下する危険性があった。
また、ワイヤを天井支持材に巻き付けて、ワイヤに固定されたフックにて係留する作業は、上方を向いての作業であるためフックでの係留が完全におこなわれているかの確認が難しかった。
更に、ワイヤを巻き付けた後に、フックで固定する構成のため、巻き付けるための空間が必要であり、天井取付器具の装着に広い空間が必要になってしまう問題もあった。
【０００６】
そこで、本発明は、取付が簡便であると共に、外力によって容易に外れることのない部材連結構造、及びそれを用いた天井取付器具を提供することを目的とする。
さらに、機器本体の取付作業の作業性が良く、取付作業の安全性が高く、わずかな空間でワイヤの取付が可能で、本体が装着できる部材連結構造、及びそれを用いた天井取付器具を提供することを目的とする。
【課題を解決するための手段】
【０００７】
上記の目的を達成するために、本発明は手段として、次の１）乃至９）の構成を有する。
１）第１の部材と、被取付部材の一面に取付けられる第２の部材とを、連結部材により、所定の距離以上の離隔を禁止すると共に該所定の距離未満の接近を許容して連結する部材連結構造であって、連結部材は、屈曲自在な紐状に形成された紐部と、紐部の一端部に設けられ紐部の断面における最大寸法よりも大なる断面寸法を有して膨出する膨出部とを有し、第２の部材は、一面に当接する当接面を有して被取付部材に固定される取付部と、膨出部が通過可能な形状に穿設された挿入孔と、挿入孔に一端側が開口すると共に膨出部の通過を禁止し紐部の通過を許容する幅で形成された他端側が閉口したスリットとを有する係止部とを備え、連結部材の他端側を第１の部材に固定すると共に、膨出部を挿入孔に挿入し、紐部をスリットを通過する位置に配置し、且つ、第１の部材を、当接面に対して直交する方向に移動させて紐部を一直線状に張架させた際に、係止部は、スリットが当接面に対して交わる面内で延在すると共に挿入孔が前記スリットに対して第１の部材の反対側に位置するよう備えられていることを特徴とする部材連結構造を提供する。
２）スリットが、挿入孔に開口した開口端部から他端側である奥端部までを非一直線状に形成されていることを特徴とする１）に記載の部材連結構造を提供する。
３）紐部をスリット内の挿入孔側から奥端部まで移動させた際の軌跡を紐部移動経路とした際に、該紐部移動経路は、移動方向が不連続に変化する屈曲点を有することを特徴とする２）に記載の部材連結構造を提供する。
４）紐部移動経路は、張架させた紐部の張架方向で分割される一方側から他方側へ跨ぐように移動する第１の移動経路と、他方側から一方側へ跨ぐように移動する第２の移動経路と、を有していることを特徴とする３）に記載の部材連結構造を提供する。
５）スリットは、その屈曲点に対応する位置において、紐部移動経路に含まれない他のスリットが開口されていることを特徴とする３）又は４）に記載の部材連結構造を提供する。
６）スリットは、その奥端部側に幅が拡張した紐収容部を有し、紐収容部の形状はスリットの幅よりも広い幅で、且つ、膨出部が通過不可能な大きさに形成されていることを特徴とする１）乃至５）のいずれか１項に記載の部材連結構造を提供する。
７）スリットは、前記挿入孔から遠い部位に、紐部の通過を許容する幅の範囲内で該スリットの幅よりも徐々に幅が狭くなる幅狭部を有していることを特徴とする１）乃至６）のいずれか１項に記載の部材連結構造を提供する。
８）１）乃至７）のいずれか１項に記載の部材連結構造を有する天井取付器具であって、第１の部材と第２の部材とを連結する、連結部材とは別の連結手段と、第２の部材に設けられた天井取付手段とを備え、係止部は、第２の部材を、天井取付手段を用いて天井に取付けた際に、挿入孔がスリットよりも天井に近い位置にあるよう第２の部材に備えられていることを特徴とする天井取付器具を提供する。
９）第１の部材はカメラ装置を備えていることを特徴とする８）に記載の天井取付器具を提供する。
【発明の効果】
【０００８】
本発明によれば、取付が簡便であると共に、外力によって容易に外れることのない部材連結構造、及びそれを用いた天井取付器具を提供することができる。
さらに、機器本体の取付作業の作業性が良く、取付作業の安全性が高く、わずかな空間でワイヤの取付が可能で、本体が装着できる部材連結構造、及びそれを用いた天井取付器具を提供することができる。
【発明を実施するための最良の形態】
【０００９】
以下に、本発明に係る部材連結構造、及びそれを用いた天井取付器具の実施例について、図面を参照して詳細に説明する。
図１は、本発明の部材連結構造、及びそれを用いた天井取付器具の実施例を示す図であり、その実施例として天井取付型監視カメラの構成を示す概略斜視図である。図２は、本発明の部材連結構造、及びそれを用いた天井取付器具の実施例を示す図であり、その実施例として天井取付型監視カメラを天井に取付けた状態を示す概略断面図である。図３は、本発明の部材連結構造、及びそれを用いた天井取付器具の要部であるワイヤ取付部を示す図であり、そのワイヤ取付部の構造の第１の実施例を示す概略図である。図４は、本発明の部材連結構造、及びそれを用いた天井取付器具の要部であるワイヤ取付部を示す図であり、そのワイヤ取付部の第１の実施例にワイヤを取付けた状態の斜視図である。図５は、本発明の部材連結構造、及びそれを用いた天井取付器具の要部であるワイヤ取付部を示す図であり、そのワイヤ取付部の構造の第２の実施例を示す概略図である。図６は、本発明の部材連結構造、及びそれを用いた天井取付器具の要部であるワイヤ取付部を示す図であり、そのワイヤ取付部の構造の第３の実施例を示す概略図である。図７は、本発明の部材連結構造、及びそれを用いた天井取付器具の要部であるワイヤ取付部を示す図であり、そのワイヤ取付部の構造の第４の実施例を示す概略図である。図８は、本発明の部材連結構造、及びそれを用いた天井取付器具の要部であるワイヤ取付部を示す図であり、そのワイヤ取付部の構造の第５の実施例を示す概略図である。図９は、本発明の部材連結構造、及びそれを用いた天井取付器具の要部であるワイヤ取付部を示す図であり、そのワイヤ取付部の構造の第６の実施例を示す概略図である。図１０は、本発明の部材連結構造、及びそれを用いた天井取付器具の要部であるワイヤ取付部を示す図であり、そのワイヤ取付部の構造の第７の実施例を示す概略図である。図１１は、本発明の部材連結構造、及びそれを用いた天井取付器具の要部であるワイヤ取付部を示す図であり、そのワイヤ取付部の構造の第８の実施例を示す概略図である。
【００１０】
本発明の部材連結構造、及びそれを用いた天井取付器具を利用する一実施例として、図１及び図２に示すような天井取付型監視カメラ１がある。
図１によれば、天井取付型監視カメラ１は、ドーム型監視カメラ本体部２と、天井固定面(当接面とも言う)ＴＭを天井面に当接させ、螺子等で天井に螺着し、それによって天井に強固に固定された天井取付治具３と、一端をドーム型監視カメラ本体部２における天井取付治具３に対向する面に螺子等で固定された紐（以下、ワイヤと称す）４と、天井取付治具３の側面に配置されたワイヤ取付部５（係止部とも言う）を有してなる。
更に、ワイヤ４は、ワイヤ４の他端にワイヤ４の直径より太く形成された膨出部６を有する。膨出部を有するワイヤとして、例えば玉付きワイヤとして広く市販されているものを用いることができる。
【００１１】
以下、天井取付型監視カメラ１を天井に取付けた状態を示している図２を合わせて説明する。
天井取付治具３は、天井７に強固に螺子等で固定され、所定の手順でしか外せない構造となっている。また、ドーム型監視カメラ本体部２は、天井７に固定された天井取付治具３に対し、ドーム部８を床面に向けて固定される。ドーム型監視カメラ本体部２と天井取付治具３との着脱は、監視カメラ９のメンテナンス作業をおこなう場合に、所定の手順で行うことができる構造になっている。
地震等で天井取付型監視カメラ１に強い衝撃や振動が加わった場合、ドーム型監視カメラ本体部２と、天井取付治具３との固定が外れたり、または、ドーム型監視カメラ本体部２と、天井取付治具３との固定部１０が破損して固定が外れる可能性がある。
万一このような現象が発生した場合でも、ドーム型監視カメラ本体部２が落下し周囲に被害を及ぼしたり、ドーム型監視カメラ本体部２が破損することなどを防ぐため、一端をドーム型監視カメラ本体部２に固定したワイヤ４の膨出部６を天井取付治具３のワイヤ取付部５に係止することによって、ドーム型監視カメラ本体部２の落下を防ぐようになっている。
【００１２】
また、監視カメラ９の制御入力信号と監視カメラからの出力信号とは、適宜コネクタ等を介して配線１１によってドーム型監視カメラ本体部２に内蔵の監視カメラ９から、天井取付治具３を介して天井裏に導き出され、天井裏にて図示しない監視システム配線と接続されている。
【００１３】
本発明の実施例において、ワイヤ４でドーム型監視カメラ本体部２と天井取付治具３とが連結される際に用いるワイヤ取付部５の構造を以下に詳述する。
【００１４】
（第１の実施例）
図３に示すように、金属板をプレス加工などして形成した開口部であるワイヤ取付部５は、ワイヤ４の膨出部６が通過可能な形状に穿設された挿入孔１２と、挿入孔１２に開口すると共にワイヤ４は通過可能であるが、膨出部６は通過不可能であるような幅Ｗ１の複数の直線部の連結で形成されたスリット１３とから構成される。
具体的には、本実施例において、スリット１３は、挿入孔１２，第１屈曲部１４，第１分岐部１５，第２屈曲部１６，第１終端部１７，第２分岐部１８，第１ワイヤ収容部（紐収容部とも言う）１９，第２終端部２０，及びそれぞれの部分を繋ぐ直線部（Ｌ1乃至Ｌ７）からなる。
挿入孔１２は、ドーム型監視カメラ本体部２と天井取付治具３とが固定された状態でドーム型監視カメラ本体部２から最も遠い位置にあり、ワイヤ収容部１９は、ドーム型監視カメラ本体部２に最も近い位置にある。
ここで、膨出部６を挿入孔１２に挿入し、ワイヤ４が挿入孔１２からワイヤ収容部１９まで移動する際の最短の軌跡をワイヤ移動経路ＫＬとする。
【００１５】
以下、ワイヤ取付部５にワイヤ４を挿入し、係止した状態を示す図である図４を図３と合わせ用いて説明する。
ワイヤ移動経路ＫＬは、挿入孔１２の開口部を基点としてドーム型監視カメラ本体部２側にある第１屈曲部１４まで直進し（Ｌ１）、第１屈曲部１４で、図の左方向に９０度屈曲する。次に、第１屈曲部１４から第１分岐部１５まで直進し（Ｌ２）、第１分岐部１５で第２屈曲部１６方向と第１終端部１７方向とに分岐するが、最短の軌跡であるワイヤ移動経路ＫＬは第２屈曲部１６に向かう方向である。更に、ワイヤ移動経路ＫＬは、第１分岐部１５から第２屈曲部１６まで直進し（Ｌ３）、第２屈曲部１６で図に向かって右方向に９０度屈曲する。また更に、第２屈曲部１６から第２分岐部１８まで直進し（Ｌ５）、第２分岐部１８でワイヤ収容部１９方向と第２終端部２０方向とに分岐するが、最短の軌跡はワイヤ収容部１９に向かう方向であり、ワイヤ移動経路ＫＬはワイヤ収容部１９に至る（Ｌ６）。
【００１６】
ドーム型監視カメラ本体部２を天井取付治具３に取付けた状態では、図４（ｂ）に示すように、膨出部６及び膨出部６に繋がるワイヤ４は、最もドーム型監視カメラ本体部２に近いワイヤ収容部１９にある。
ワイヤ４がワイヤ収容部１９に収まった状態でドーム型監視カメラ本体部２と天井取付治具３との固定が外れた場合、重力によってドーム型監視カメラ本体部２が落下し、その落下に伴い、膨出部６は、スリット１３を通過できずにワイヤ取付部５の最下点であるワイヤ収容部１９に留まる。それによって、ドーム型監視カメラ本体部２はワイヤ４の長さ分だけ落下し、ワイヤ４が一直線になる状態でワイヤ取付部５に釣支され、床上への落下が免れる。
【００１７】
更に、天井取付型監視カメラ１に重力方向以外の方向の外力が加わり、ワイヤ４が重力方向以外に移動した場合でも、ワイヤ取付部５において、ワイヤ４が、ドーム型監視カメラ本体部２を天井取付治具３に取付けた状態の定常位置であるワイヤ収容部１９から挿入孔１２に移動するためには、複数の屈曲部１４，１６と、複数の分岐部１５，１８と、複数の終端部１７，２０との方向の異なる複数の直線部（Ｌ６，Ｌ５，Ｌ３，Ｌ２，Ｌ１）を通過する必要があるため、多方向への移動が必要になり、挿入孔１２から膨出部６が容易に飛び出し難い。
【００１８】
（第２の実施例）
図５に示すように、金属板をプレス加工などして形成した開口部であるワイヤ取付部５は、ワイヤ４の膨出部６が通過可能な形状に穿設された挿入孔１２と、挿入孔１２に開口すると共にワイヤ４は通過可能であるが、膨出部６は通過不可能であるような幅Ｗ１の直線で形成されたスリット１３とから構成される。
具体的には、本実施例において、スリット１３は、挿入孔１２，ワイヤ収容部１９，及び挿入孔１２とワイヤ収容部１９とを繋ぐ直線部Ｌ８からなる。
挿入孔１２は、ドーム型監視カメラ本体部２と天井取付治具３とが固定された状態でドーム型監視カメラ本体部２から最も遠い位置にあり、ワイヤ収容部１９は、ドーム型監視カメラ本体部２に最も近い位置にある。
ここで、膨出部６を挿入孔１２に挿入し、ワイヤ４が挿入孔１２からワイヤ収容部１９まで移動する際の最短の軌跡をワイヤ移動経路ＫＬとする。
ドーム型監視カメラ本体部２を天井取付治具３に取付けた状態では、膨出部６及び膨出部６に繋がるワイヤ４は、重力によって挿入孔１２からスリット１３を通りワイヤ収容部１９に移動する（Ｌ８）ため、最もドーム型監視カメラ本体部２に近いワイヤ収容部１９にある。
【００１９】
ドーム型監視カメラ本体部２を天井取付治具３に取付けた状態では、膨出部６及び膨出部６に繋がるワイヤ４は、最もドーム型監視カメラ本体部２に近いワイヤ収容部１９にある。
ワイヤ４がワイヤ収容部１９に収まった状態でドーム型監視カメラ本体部２と天井取付治具３との固定が外れた場合、重力によってドーム型監視カメラ本体部２が落下し、その落下に伴い、膨出部６は、スリット１３を通過できずにワイヤ取付部５の最下点であるワイヤ収容部１９に留まる。それによって、ドーム型監視カメラ本体部２はワイヤ４の長さ分だけ落下し、ワイヤ４が一直線になる状態でワイヤ取付部５に釣支され、床上への落下が免れる。
【００２０】
（第３の実施例）
図６に示すように、金属板をプレス加工などして形成した開口部であるワイヤ取付部５は、ワイヤ４の膨出部６が通過可能な形状に穿設された挿入孔１２と、挿入孔１２に開口すると共にワイヤ４は通過可能であるが、膨出部６は通過不可能であるような幅Ｗ１の曲線で形成されたスリット１３とから構成される。
具体的には、本実施例において、スリット１３は、挿入孔１２，ワイヤ収容部１９，及び挿入孔１２とワイヤ収容部１９とを繋ぐ曲線部Ｌ９からなる。
挿入孔１２は、ドーム型監視カメラ本体部２と天井取付治具３とが固定された状態でドーム型監視カメラ本体部２から最も遠い位置にあり、ワイヤ収容部１９は、ドーム型監視カメラ本体部２に最も近い位置にある。
ここで、膨出部６を挿入孔１２に挿入し、ワイヤ４が挿入孔１２からワイヤ収容部１９まで移動する際の最短の軌跡をワイヤ移動経路ＫＬとする。
ドーム型監視カメラ本体部２を天井取付治具３に取付けた状態では、膨出部６及び膨出部６に繋がるワイヤ４は、重力によって挿入孔１２からスリット１３を通りワイヤ収容部１９に移動する（Ｌ９）ため、最もドーム型監視カメラ本体部２に近いワイヤ収容部１９にある。
【００２１】
ドーム型監視カメラ本体部２を天井取付治具３に取付けた状態では、図４（ｂ）に示すように、膨出部６及び膨出部６に繋がるワイヤ４は、最もドーム型監視カメラ本体部２に近いワイヤ収容部１９にある。
ワイヤ４がワイヤ収容部１９に収まった状態でドーム型監視カメラ本体部２と天井取付治具３との固定が外れた場合、重力によってドーム型監視カメラ本体部２が落下し、その落下に伴い、膨出部６は、スリット１３を通過できずにワイヤ取付部５の最下点であるワイヤ収容部１９に留まる。それによって、ドーム型監視カメラ本体部２はワイヤ４の長さ分だけ落下し、ワイヤ４が一直線になる状態でワイヤ取付部５に釣支され、床上への落下が免れる。
【００２２】
更に、天井取付型監視カメラ１に重力方向以外の方向の外力が加わり、ワイヤ４が重力方向以外に移動した場合でも、第２の実施例では、ドーム型監視カメラ本体部２に対し天井取付治具３方向の力が加わった場合膨出部６が挿入孔１２から飛出す可能性があるのに対し、スリット１３が曲線で形成されているため、一方向の力では挿入孔１２から膨出部６が容易に飛び出し難い。
【００２３】
（第４の実施例）
図７に示すように、金属板をプレス加工などして形成した開口部であるワイヤ取付部５は、ワイヤ４の膨出部６が通過可能な形状に穿設された挿入孔１２と、挿入孔１２に開口すると共にワイヤ４は通過可能であるが、膨出部６は通過不可能であるような幅Ｗ１の複数の直線部の連結で形成されたスリット１３とから構成される。
具体的には、本実施例において、スリット１３は、挿入孔１２，第１屈曲部１４，第３屈曲部２１，ワイヤ収容部１９，及びそれぞれの部分を繋ぐ直線部（Ｌ1０乃至Ｌ１２）からなる。
挿入孔１２は、ドーム型監視カメラ本体部２から最も遠い位置にあり、ワイヤ収容部１９は、ドーム型監視カメラ本体部２に最も近い位置にある。
ここで、膨出部６を挿入孔１２に挿入し、ワイヤ４が挿入孔１２からワイヤ収容部１９まで移動する際の最短の軌跡をワイヤ移動経路ＫＬとする。
【００２４】
ワイヤ移動経路ＫＬは、挿入孔１２の開口部を基点としてドーム型監視カメラ本体部２方向にある第１屈曲部１４まで直進し（Ｌ１０）、第１屈曲部１４で、図の左方向に９０度屈曲する。次に、第１屈曲部１４から第３屈曲部２１まで直進し（Ｌ１１）、第３屈曲部２１で図に向かって下方向に９０度屈曲する。更に、第３屈曲部２１から直進し、ワイヤ移動経路ＫＬはワイヤ収容部１９に至る（Ｌ１２）。
【００２５】
ドーム型監視カメラ本体部２を天井取付治具３に取付けた状態では、膨出部６及び膨出部６に繋がるワイヤ４は、最もドーム型監視カメラ本体部２に近いワイヤ収容部１９にある。
ワイヤ４がワイヤ収容部１９に収まった状態でドーム型監視カメラ本体部２と天井取付治具３との固定が外れた場合、重力によってドーム型監視カメラ本体部２の落下し、その落下に伴い、膨出部６は、スリット１３を通過できずにワイヤ取付部５の最下点であるワイヤ収容部１９に留まる。それによって、ドーム型監視カメラ本体部２はワイヤ４の長さ分だけ落下し、ワイヤ４が一直線になる状態でワイヤ取付部５に釣支され、床上への落下が免れる。
【００２６】
更に、天井取付型監視カメラ１に重力方向以外の方向の外力が加わり、ワイヤ４が重力方向以外に移動した場合でも、ワイヤ取付部５において、ワイヤ４がドーム型監視カメラ本体部２を天井取付治具３に取付けた状態の定常位置であるワイヤ収容部１９から挿入孔１２に移動するためには、複数の屈曲部１４，２１を有し、方向の異なる複数の直線部（Ｌ１２，Ｌ１１，Ｌ１０）を通過する必要があるため、多方向への移動が必要になり、容易に挿入孔１２から膨出部６が容易に飛び出し難い。
【００２７】
（第５の実施例）
図８に示すように、金属板をプレス加工などして形成した開口部であるワイヤ取付部５は、ワイヤ４の膨出部６が通過可能な形状に穿設された挿入孔１２と、挿入孔１２に開口すると共にワイヤ４は通過可能であるが、膨出部６は通過不可能であるような幅Ｗ１の複数の直線部の連結で形成されたスリット１３とから構成される。
具体的には、本実施例において、スリット１３は、挿入孔１２，第１屈曲部１４，第３屈曲部２１，第２屈曲部１６，第４屈曲部２２，ワイヤ収容部１９，及びそれぞれの部分を繋ぐ直線部（Ｌ1３乃至Ｌ１７）からなる。
挿入孔１２は、ドーム型監視カメラ本体部２と天井取付治具３とが固定された状態でドーム型監視カメラ本体部２から最も遠い位置にあり、ワイヤ収容部１９は、ドーム型監視カメラ本体部２に最も近い位置にある。
ここで、膨出部６を挿入孔１２に挿入し、ワイヤ４が挿入孔１２からワイヤ収容部１９まで移動する際の最短の軌跡をワイヤ移動経路ＫＬとする。
【００２８】
ワイヤ移動経路ＫＬは、挿入孔１２の開口部を基点としてドーム型監視カメラ本体部２方向にある第１屈曲部１４まで直進し（Ｌ１３）、第１屈曲部１４で、図の左方向に９０度屈曲する。次に、第１屈曲部１４から第３屈曲部２１まで直進し（Ｌ１４）、第３屈曲部２１で図の下方向に９０度屈曲する。更に、ワイヤ移動経路ＫＬは、第３屈曲部２１から第２屈曲部１６まで直進し（Ｌ１５）、第２屈曲部１６で図の右方向に９０度屈曲する。また更に、第２屈曲部１６から第４屈曲部２２まで直進し（Ｌ１６）、第４屈曲部２２で図の下方向に９０度屈曲し、ワイヤ移動経路ＫＬはワイヤ収容部１９に至る（Ｌ１７）。
【００２９】
ドーム型監視カメラ本体部２を天井取付治具３に取付けた状態では、膨出部６及び膨出部６に繋がるワイヤ４は、最もドーム型監視カメラ本体部２に近いワイヤ収容部１９にある。
ワイヤ４がワイヤ収容部１９に収まった状態でドーム型監視カメラ本体部２と天井取付治具３との固定が外れた場合、重力によってドーム型監視カメラ本体部２が落下し、その落下に伴い、膨出部６は、スリット１３を通過できずにワイヤ取付部５の最下点であるワイヤ収容部１９に留まる。それによって、ドーム型監視カメラ本体部２はワイヤ４の長さ分だけ落下し、ワイヤ４が一直線になる状態でワイヤ取付部５に釣支され、床上への落下が免れる。
【００３０】
更に、天井取付型監視カメラ１に重力方向以外の方向の外力が加わり、ワイヤ４が重力方向以外に移動した場合でも、ワイヤ取付部５において、ワイヤ４がドーム型監視カメラ本体部２を天井取付治具３に取付けた状態の定常位置であるワイヤ収容部１９から挿入孔１２に移動するためには、複数の屈曲部１４，２１，２２を有し、方向の異なる複数の直線部(Ｌ１７，Ｌ１６，Ｌ１５，Ｌ１４，Ｌ１３)を通過する必要があるため、多方向への移動が必要になり、容易に挿入孔１２から膨出部６が容易に飛び出し難い。
【００３１】
（第６の実施例）
図９に示すように、金属板をプレス加工などして形成した開口部であるワイヤ取付部５は、ワイヤ４の膨出部６が通過可能な形状に穿設された挿入孔１２と、挿入孔１２に開口すると共にワイヤ４は通過可能であるが、膨出部６は通過不可能であるような幅Ｗ１の複数の直線部の連結で形成されたスリット１３とから構成される。
具体的には、本実施例において、スリット１３は、挿入孔１２，第１屈曲部１４，第１分岐部１５，第１終端部１７，ワイヤ収容部１９，及びそれぞれの部分を繋ぐ直線部（Ｌ1８乃至Ｌ２１）からなる。
挿入孔１２は、ドーム型監視カメラ本体部２と天井取付治具３とが固定された状態でドーム型監視カメラ本体部２から最も遠い位置にあり、ワイヤ収容部１９は、ドーム型監視カメラ本体部２に最も近い位置にある。
ここで、膨出部６を挿入孔１２に挿入し、ワイヤ４が挿入孔１２からワイヤ収容部１９まで移動する際の最短の軌跡をワイヤ移動経路ＫＬとする。
【００３２】
ワイヤ移動経路ＫＬは、挿入孔１２の開口部を基点としてドーム型監視カメラ本体部２方向にある第１屈曲部１４まで直進し（Ｌ１８）、第１屈曲部１４で、図に向かって左方向に９０度屈曲する。次に、第１屈曲部１４から第１分岐部１５まで直進し（Ｌ１９）、第１分岐部１５でワイヤ収容部１９方向と第１終端部１７方向とに分岐するが、最短の軌跡であるワイヤ移動経路ＫＬはワイヤ収容部１９に向かう方向であり、ワイヤ移動経路ＫＬはワイヤ収容部１９に至る（Ｌ２０）。
【００３３】
ドーム型監視カメラ本体部２を天井取付治具３に取付けた状態では、膨出部６及び膨出部６に繋がるワイヤ４は、最もドーム型監視カメラ本体部２に近いワイヤ収容部１９にある。
ワイヤ４がワイヤ収容部１９に収まった状態でドーム型監視カメラ本体部２と天井取付治具３との固定が外れた場合、重力によってドーム型監視カメラ本体部２が落下し、その落下に伴い、膨出部６は、スリット１３を通過できずにワイヤ取付部５の最下点であるワイヤ収容部１９に留まる。それによって、ドーム型監視カメラ本体部２はワイヤ４の長さ分だけ落下し、ワイヤ４が一直線になる状態でワイヤ取付部５に釣支され、床上への落下が免れる。
【００３４】
更に、天井取付型監視カメラ１に重力方向以外の方向の外力が加わり、ワイヤ４が重力方向以外に移動した場合でも、ワイヤ取付部５において、ワイヤ４がドーム型監視カメラ本体部２を天井取付治具３に取付けた状態の定常位置であるワイヤ収容部１９から挿入孔１２に移動するためには、屈曲部１４と、分岐部１５と、終端部１７とを有し、方向の異なる複数の直線部（Ｌ２０，Ｌ１９，Ｌ１８）を通過する必要があるため、多方向への移動が必要になり、容易に挿入孔１２から膨出部６が容易に飛び出し難い。
【００３５】
（第７の実施例）
図１０に示すように、金属板をプレス加工などして形成した開口部であるワイヤ取付部５は、ワイヤ４の膨出部６が通過可能な形状に穿設された挿入孔１２と、挿入孔１２に開口すると共にワイヤ４は通過可能であるが、膨出部６は通過不可能であるような幅Ｗ１に形成されたスリット１３と、スリット１３における挿入孔１２と反対端に位置し、その幅Ｗ２がスリット１３より広く、膨出部６は通過不可能な幅に形成された第２ワイヤ収容部２３とから構成される。
挿入孔１２は、ドーム型監視カメラ本体部２と天井取付治具３とが固定された状態でドーム型監視カメラ本体部２から最も遠い位置にあり、第２ワイヤ収容部２３は、ドーム型監視カメラ本体部２に最も近い位置にある。
ここで、ワイヤ４が挿入孔１２から第２ワイヤ収容部２３まで移動する際の最短の軌跡をワイヤ移動経路ＫＬとする。
ワイヤ移動経路ＫＬは、挿入孔１２からスリット１３を通り、ドーム型監視カメラ本体部２方向にある第２ワイヤ収容部２３に至る。
ドーム型監視カメラ本体部２を天井取付治具３に取付けた状態では、膨出部６及び膨出部６に繋がるワイヤ４は、重力によって挿入孔１２からスリット１３を通り第２ワイヤ収容部２３に移動するため、膨出部６は最もドーム型監視カメラ本体部２に近い第２ワイヤ収容部２３にある。
【００３６】
ワイヤ４が第２ワイヤ収容部２３に収まった状態でドーム型監視カメラ本体部２と天井取付治具３との固定が外れた場合、重力によってドーム型監視カメラ本体部２が落下し、その落下に伴い、膨出部６は、スリット１３を通過できずにワイヤ取付部５の最下点である第２ワイヤ収容部２３に留まる。それによって、ドーム型監視カメラ本体部２はワイヤ４の長さ分だけ落下し、ワイヤ４が一直線になる状態でワイヤ取付部５に釣支され、床上への落下が免れる。
【００３７】
更に、天井取付型監視カメラ１に重力方向以外の力が加わり、ワイヤ４が重力方向以外の方向に移動した場合でも、ワイヤ取付部５において、第２ワイヤ収容部２３の幅Ｗ２に対して挿入孔１２側にあるスリット１３の幅Ｗ１が、狭く形成されているため、容易に挿入孔１２から膨出部６が容易に飛び出し難い。
【００３８】
（第８の実施例）
図１１に示すように、金属板をプレス加工などして形成した開口部であるワイヤ取付部５は、ワイヤ４の膨出部６が通過可能な形状に穿設された挿入孔１２と、挿入孔１２に開口すると共にワイヤ４は通過可能であるが、膨出部６は通過不可能であるような幅Ｗ１に形成されたスリット１３と、スリット１３におけるドーム型監視カメラ本体部２に最も近いに形成されたドーム型監視カメラ本体部２に近づくに従い徐々に幅が狭くなる幅狭部２４と、幅狭部２４におけるドーム型監視カメラ本体部２に最も近いに形成された幅狭部２４の最狭部２４ａの幅Ｗ３よりも格段に広い幅Ｗ４を有する第３ワイヤ収容部２５とから構成される。
ここで、幅狭部２４の最広部２４ｂの幅はスリット１３の幅Ｗ１と同様であり、幅狭部２４の最狭部２４ａの幅Ｗ３は少なくともワイヤ４の幅より広いものである。
更に、第３ワイヤ収容部２５の幅Ｗ４は、幅狭部２４の最狭部２４ｂの幅Ｗ３よりも広く、且つ、膨出部５が通過しない大きさである。より好ましくは、スリット１３の幅Ｗ１より広く、膨出部５が通過しない大きさである。
【００３９】
ここで、挿入孔１２は、ドーム型監視カメラ本体部２と天井取付治具３とが固定された状態でドーム型監視カメラ本体部２から最も遠い位置にあり、第３ワイヤ収容部２５は、ドーム型監視カメラ本体部２に最も近い位置にある。
また、膨出部６を挿入孔１２に挿入し、ワイヤ４が挿入孔１２から第３ワイヤ収容部２５まで移動する際の最短の軌跡をワイヤ移動経路ＫＬとする。
ワイヤ移動経路ＫＬは、挿入孔１２から幅狭部２４を通り、ドーム型監視カメラ本体部２方向にある第３ワイヤ収容部２５に至る。
ドーム型監視カメラ本体部２を天井取付治具３に取付けた状態では、膨出部６及び膨出部６に繋がるワイヤ４は、重力によって挿入孔１２から幅狭部２４を通り第３ワイヤ収容部２５に移動するため、膨出部６は最もドーム型監視カメラ本体部２に近い第３ワイヤ収容部２５にある。
【００４０】
ワイヤ４が第３ワイヤ収容部２５に収まった状態でドーム型監視カメラ本体部２と天井取付治具３との固定が外れた場合、重力によってドーム型監視カメラ本体部２が落下し、その落下に伴い、膨出部６は、スリット１３を通過できずにワイヤ取付部５の最下点である第３ワイヤ収容部２５に留まる。それによって、ドーム型監視カメラ本体部２はワイヤ４の長さ分だけ落下し、ワイヤ４が一直線になる状態でワイヤ取付部５に釣支され、床上への落下が免れる。
【００４１】
更に、天井取付型監視カメラ１に重力方向以外の外力が加わり、ワイヤ４が重力方向以外の方向に移動し、第３ワイヤ収容部２５からワイヤ４が浮き上がったとしても、ワイヤ取付部５は、幅狭部２４の最狭部２４ｂの幅Ｗ３が第３ワイヤ収容部２５の幅Ｗ４に比較して格段に狭いためワイヤ４が第３ワイヤ収容部２５から出ることはなく、挿入孔１２から膨出部６が飛び出す可能性は低い。
【００４２】
なお、第１の実施例から第８の実施例において、天井取付型監視カメラ１を代表例として記載したが、天井取付型監視カメラ１に限らず天井取付型照明器具や天井取付型音響装置、或いは排気ダクト等の天井吊下げ型の器具に対しても有効であることは言うまでもない。
また、ワイヤ４（紐部）の材質としては、金属が最適であるが、本実施例の場合、天井取付型監視カメラを吊下げても破断することがない強度を有する材質であれば良い。更に、ワイヤ４の代わりとしてチェーンやロープ等を用いても良い。また更に、ワイヤ４の長さについては、ドーム型監視カメラ本体部２を天井取付治具３に取付ける際に、作業性を損なわない程度に短いことが望ましい。
【００４３】
また、図３，図４，及び図９に示すように、屈曲部１４，１６，２１，２２のドーム型監視カメラ本体部２に近い側の角を、角Ｒとすることによって、ワイヤをワイヤ収容部１９，２３，２５に導きやすくしておいてもよい。
更に、図３，図４，図７，図８，及び図９に示す分岐部１５，１８については、重力方向と重力方向に対して１８０度異なる反重力方向に分岐することが望ましいが、必ずしもこの角度にする必要は無く、重力に直交する方向より重力方向に近い角度と、重力に直交する方向より反重力方向に近い角度との２方向に分かれても良い。
【００４４】
以上、説明したように、一方が天井等の構造物に取付けられた第１の部材に対し、重力方向で地面側から第２の部材を取付ける際に、第１及び第２の部材が一定の距離以上に離隔することを防止する部材連結構造において、一端が第２部材に固定され他端に膨出部６を有するワイヤ４と、膨出部６が通過可能な形状に穿設された挿入孔１２、及び挿入孔１２に開口すると共に膨出部６の通過を禁止しワイヤ４の通過を許容する幅で形成されたスリット１３を有するワイヤ取付部５とを備えることで、ワイヤ４を容易にワイヤ取付部５に取付けることができ、取付作業者への負担が軽減される。
更に、第１及び第２の部材が離隔する力が働いた場合でも、ワイヤ取付部５からワイヤ４が外れることにより第２の部材が落下することを防ぐことができる。
また更に、ワイヤ取付部５の構造が、屈曲部，分岐部，終端部，幅狭部の少なくともいずれか１つを有するため、ワイヤ４に重力方向以外の力が加わった場合でも、ワイヤ取付部５からワイヤ４が外れることがなくなった。
また更に、本発明の天井取付器具は、ワイヤ４とワイヤ取付部５から構成されるため、取付に必要なスペースも従来に比較して大幅に小さくできる。
【図面の簡単な説明】
【００４５】
【図１】本発明の部材連結構造、及びそれを用いた天井取付器具の実施例を示す図であり、その実施例として天井取付型監視カメラの構成を示す概略斜視図である。
【図２】本発明の部材連結構造、及びそれを用いた天井取付器具の実施例を示す図であり、その実施例として天井取付型監視カメラを天井に取付けた状態を示す概略断面図である。
【図３】本発明の部材連結構造、及びそれを用いた天井取付器具の要部であるワイヤ取付部を示す図であり、そのワイヤ取付部の構造の第１の実施例を示す概略図である。
【図４】本発明の部材連結構造、及びそれを用いた天井取付器具の要部であるワイヤ取付部を示す図であり、そのワイヤ取付部の第１の実施例にワイヤを取付けた状態の斜視図である。
【図５】本発明の部材連結構造、及びそれを用いた天井取付器具の要部であるワイヤ取付部を示す図であり、そのワイヤ取付部の構造の第２の実施例を示す概略図である。
【図６】本発明の部材連結構造、及びそれを用いた天井取付器具の要部であるワイヤ取付部を示す図であり、そのワイヤ取付部の構造の第３の実施例を示す概略図である。
【図７】本発明の部材連結構造、及びそれを用いた天井取付器具の要部であるワイヤ取付部を示す図であり、そのワイヤ取付部の構造の第４の実施例を示す概略図である。
【図８】本発明の部材連結構造、及びそれを用いた天井取付器具の要部であるワイヤ取付部を示す図であり、そのワイヤ取付部の構造の第５の実施例を示す概略図である。
【図９】本発明の部材連結構造、及びそれを用いた天井取付器具の要部であるワイヤ取付部を示す図であり、そのワイヤ取付部の構造の第６の実施例を示す概略図である。
【図１０】本発明の部材連結構造、及びそれを用いた天井取付器具の要部であるワイヤ取付部を示す図であり、そのワイヤ取付部の構造の第７の実施例を示す概略図である。
【図１１】本発明の部材連結構造、及びそれを用いた天井取付器具の要部であるワイヤ取付部を示す図であり、そのワイヤ取付部の構造の第８の実施例を示す概略図である。
【符号の説明】
【００４６】
１…天井取付型監視カメラ、２…ドーム型監視カメラ本体部、３…天井取付治具、４…ワイヤ、５…ワイヤ取付部、６…膨出部、７…天井、８…ドーム部、９…監視カメラ、１０…固定部、１１…配線、１２…挿入孔、１３…スリット、１４…第１屈曲部、１５…第１分岐部、１６…第２屈曲部、１７…第１終端部、１８…第２分岐部、１９…ワイヤ収容部、２０…第２終端部、２１…第３屈曲部、２２…第４屈曲部、２３…第２ワイヤ収容部、２４…幅狭部、２４ａ…最狭部、２４ｂ…最広部、２５…第３ワイヤ収容部
【図１】
2009127795.tif 000003
【図２】
2009127795.tif 000004
【図３】
2009127795.tif 000005
【図４】
2009127795.tif 000006
【図５】
2009127795.tif 000007
【図６】
2009127795.tif 000008
【図７】
2009127795.tif 000009
【図８】
2009127795.tif 000010
【図９】
2009127795.tif 000011
【図１０】
2009127795.tif 000012
【図１１】
2009127795.tif 000013